(57)【特許請求の範囲】
【請求項１】
屋外の空気を吸気口から吸引して送風する送風手段と、送風手段が送風する送風経路中に設けた吸着材と、吸着材を再生加熱する再生加熱手段と、乾燥空気を床下に送風する第一の排気管と、吸着材の再生加熱時に発生する多湿の空気を機外に放出する第二の排気管と、吸着材を通過した後の空気を、吸着モード時には第一の排気管に、再生モード時には第二の排気管に送る吸着・再生経路切換弁と、送風手段が送風する空気を吸着材側と送風口側とに切り換える換気・除湿切換弁と、吸着材を通過する前の屋外空気の温度と湿度とを検知する検知手段と、各部を制御する制御手段とを備え、前記制御手段は除湿運転の開始時または除湿運転中に、検知手段から受けた情報に基づいて再生加熱手段への通電時間または通電容量またはこの両方を制御する換気除湿装置。
【請求項２】
屋外の空気を吸気口から吸引して送風する送風手段と、送風手段が送風する送風経路中に設けた吸着材と、吸着材を再生加熱する再生加熱手段と、乾燥空気を床下に送風する第一の排気管と、吸着材の再生加熱時に発生する多湿の空気を機外に放出する第二の排気管と、吸着材を通過した後の空気を、吸着モ―ド時には第一の排気管に、再生モード時には第二の排気管に送る吸着・再生経路切換弁と、送風手段が送風する空気を吸着材側と送風口側とに切り換える換気・除湿切換弁と、吸着材を通過した後の空気の温度と湿度とを検知する検知手段と、各部を制御する制御手段とを備え、前記制御手段は、除湿運転の開始時またはその後所定時間行う除湿運転中に、検知手段から受けた情報に基づいて再生加熱手段への通電時間または通電容量またはこの両方を制御する換気除湿装置。
【請求項３】
屋外の空気を吸気口から吸引して送風する送風手段と、送風手段が送風する送風経路中に設けた吸着材と、吸着材を再生加熱する再生加熱手段と、乾燥空気を床下に送風する第一の排気管と、再生加熱時に発生する多湿の空気を機外に放出する第二の排気管と、送風手段が送風する空気を床下に送風する送風口と、吸着材を通過した後の空気を、吸着モード時には第一の排気管に、再生モ―ド時には第二の排気管に送る吸着・再生経路切換弁と、送風手段が送風する空気を吸着材側と送風口側とに切り換える換気・除湿切換弁と、吸着材を通過する前の屋外空気の温度と湿度とを検知する検知手段と、吸着材を通過した後の空気の温度と湿度とを検知する第二の検知手段と、各部を制御する制御手段とを備え、前記制御手段は、常時は検知手段から受けた情報に基づいて換気運転・除湿運転の切り換えを行い、除湿運転中は第二の検知手段から受けた情報に基づいて再生加熱手段への通電時間または通電容量またはこの両方を制御する換気除湿装置。
【請求項４】
屋外の空気を吸気口から吸引して送風する送風手段と、送風手段が送風する送風経路中に設けた吸着材と、吸着材を再生加熱する再生加熱手段と、乾燥空気を床下に送風する第一の排気管と、再生加熱時の多湿の空気を機外に放出する第二の排気管と、吸着材を通過した後の空気を、吸着モード時には第一の排気管に、再生モード時には第二の排気管に送る吸着・再生経路切換弁と、屋外空気の温度と湿度とを検知する検知手段と、各部を制御する制御手段とを備え、前記制御手段は、換気運転時には吸着・再生経路切換弁を駆動して第二の排気管を閉じると共に、吸着材をその一端を軸に回転させて送風経路内を開き、除湿運転時には、吸着材をその一端を軸に逆回転させて送風経路を流れる空気が吸着材を通過するようにした換気除湿装置。
【請求項５】
制御手段は換気運転時に吸着材を空気の流れる方向へ回転させるように制御する請求項４に記載した換気除湿装置。
【請求項６】
屋外の空気を吸気口から吸引して送風する送風手段と、送風手段が送風する送風経路中に設けた吸着材と、吸着材を再生加熱する再生加熱手段と、乾燥空気を床下に送風する第一の排気管と、再生加熱時の多湿の空気を機外に放出する第二の排気管と、吸着材を通過した後の空気を、吸着モード時には第一の排気管に、再生モード時には第二の排気管に送る吸着・再生経路切換弁と、吸着材を通過する前の屋外空気の温度と湿度とを検知する検知手段と、吸着材を通過した後の空気の温度と湿度とを検知する第二の検知手段と、各部を制御する制御手段とを備え、前記制御手段は、換気運転時には吸着・再生経路切換弁を駆動して第二の排気管を閉じると共に、吸着材をその一端を軸に空気の流れる方向に回転させて送風経路内を開き、除湿運転時には、吸着材をその一端を軸に逆回転させて送風経路を流れる空気が吸着材を通過させるようにし、かつ常時は検知手段の情報に応じて換気、除湿運転の切り換えを行い、除湿運転中は第二の検知手段の情報に応じて、再生加熱手段への通電時間または通電容量またはこの両方を制御する換気除湿装置。
【発明の詳細な説明】
【０００１】
【発明の属する技術分野】
本発明は、建物の床下等の空間を換気・除湿する換気除湿装置に関するものである。
【０００２】
【従来の技術】
日本古来の住居に見られるような束建てになっている場合には、家屋の床下は通気性が良く、高温多湿の気象条件下であっても耐久性の高い木造住宅とすることができるものである。しかし近年は、床下を布基礎で囲む構成としているため、わずかな換気口はあるものの床下の通気性は悪くなっている。このため床下は湿度が高く、カビや腐朽菌などが繁殖しやすく、床下を構成する木材が腐食しやすくなっている。
【０００３】
このような理由で、近年、床下の通気を良くするために図７に示すような構成の床下用換気扇の使用が増えてきている。１は換気扇本体２の内部に設けている送風機で、吸気口３から床下７の淀んだ空気を吸気し排気口４から排気している。この換気扇本体２は、図８に２ａ・２ｂ・２ｃとして示しているように、建物の北側、或いは洗面所・風呂場・台所等の水回りの床下近傍に、建物の基礎５と建物の土台６との間に数カ所設けている換気口８の一部を利用して配置している。図９はこの床下用換気扇の電気接続を示している。コントローラ９は複数個設けている換気扇本体２ａ・２ｂ・２ｃの運転を制御する。
【０００４】
以上の構成で、コントローラ９が所定の時刻の間、例えば比較的外気の湿度が低くなる午前１０時頃から午後４時頃までの間、換気扇本体２を運転する。換気扇本体２が動作すると、矢印Ａに示しているように南側屋外の空気が換気口８から流入する。この結果、床下７に淀んでいる多湿の空気は排気口４から屋外に排出される。この運転を繰り返すことによって、床下７の湿度は次第に低下し、床下７を構成している木材の含水率も低下して、木材の腐朽菌の活動、或いはカビの活動を抑制する。
【０００５】
またコントローラ９が湿度センサを内蔵しているものでは、雨降り時等の外気の湿度が高い間は換気扇本体２の運転を停止し、外気が低湿状態になると換気扇本体２を運転する。
【０００６】
【発明が解決しようとする課題】
前記従来の構成の床下用換気扇は、換気機能が充分ではないという課題を有している。つまり、単に所定の時刻の間毎日換気扇本体２を運転する構成のものは、外気の湿度が高い場合には床下７に高湿度の外気を取り込むものである。従って、逆に床下７の湿度を高めることになる。またコントローラ９が湿度センサを内蔵した構成のものは、梅雨季等の長期の高湿度状態が続く間は、運転を停止したままの状態となる。つまり、本来換気による乾燥が必要なときに運転を停止したままとなる。更に、外気の湿度が低い場合においても床下用換気扇が設置された北側の床下（洗面所等）の空気の相対湿度はそれほど低下しない。この理由は、南側の換気口から床下７に吸い込まれた屋外の空気の温度は、北側の洗面所に到達するまでに床下７に淀んでいる空気によって低下し、相対湿度を下げるまでには至らないものである。
【０００７】
【課題を解決する手段】
本発明は、吸着材を用いて屋外の空気を除湿乾燥し、乾燥した空気を床下に送風すると共に、吸着材を再生する再生加熱手段の制御を屋外の空気の温度と湿度に応じたものとして、効率的な運転ができる換気除湿装置としているものである。
【０００８】
【発明の実施の形態】
請求項１に記載した発明は、送風手段によって屋外から吸引した空気を吸着材を介して乾燥空気に変換して床下に送風する除湿運転を行って床下を乾燥するとともに、除湿運転の開始時または除湿運転中に、検知手段から受けた吸着材通過前の屋外空気の温度・湿度の情報に基づいて活性の低下した吸着材を再生する再生加熱手段への通電を制御するようにして、外気の湿度の変化に対応した換気運転・除湿運転が可能な効率の良い換気除湿装置としているものである。
【０００９】
請求項２に記載した発明は、吸着材を通過した後の空気の温度と湿度とを検知する検知手段を備え、除湿運転の開始時またはその後行う所定時間の除湿運転中に、検知手段から受けた情報に応じて再生加熱手段への通電を制御するようにして、本体の温度上昇のおそれがなく、安全で効率的な運転ができる換気除湿装置としている。
【００１０】
請求項３に記載した発明は、常時は吸着材を通過する前の屋外空気の温度と湿度とを検知する検知手段の情報によって換気・除湿の切り換えを行い、除湿運転中は吸着材を通過した後の空気の温度と湿度とを検知する第二の検知手段の検知情報によって再生加熱手段への通電を制御するようにして、屋外空気の温度・湿度の変化による換気運転への切換えも機敏にでき、安全でさらに効率的な運転ができる換気除湿装置としている。
【００１１】
請求項４に記載した発明は、制御手段が、換気運転時には吸着・再生経路切換弁を駆動して第二の排気管を閉じると共に、吸着材をその一端を軸に回転させて送風経路内を開き、除湿運転時には、吸着材をその一端を軸に逆回転させて送風経路を流れる外気が吸着材の表面に接触するように制御して、送風経路を簡単に構成でき、また耐久性の高い換気除湿装置としている。
【００１２】
請求項５に記載した発明は、制御手段が換気運転時に吸着材を空気の流れる方向へ回転させるように制御して、換気運転時に吸着材の自動清掃も行え、簡単な構成で耐久性の高い換気除湿装置としている。
【００１３】
請求項６に記載した発明は、常時は吸着材を通過する前の屋外空気の温度と湿度とを検知する検知手段の情報によって換気・除湿の切り換えを行い、除湿運転中は吸着材を通過した後の空気の温度と湿度とを検知する第二の検知手段の検知情報によって再生加熱手段への通電を制御し、また吸着材をその一端を軸にして回転制御するようにして、送風経路の構成が簡単で、また屋外空気の温度・湿度の変化による換気運転への切換えも機敏にでき、安全でさらに効率的な運転ができる換気除湿装置としている。
【００１４】
【実施例】
（実施例１）
以下、本発明の第１の実施例について説明する。図１は本実施例の構成を示す断面図である。換気除湿装置の本体１０（以下単に本体１０と称する）内には、屋外の空気を吸気口１１から吸気し送風する送風手段１２と、送風手段１２が送風する送風経路１３を構成する風胴を設けている。送風経路１３内には、シリカゲルまたはゼオライト等を使用した吸着材１４と、吸着材１４の上流側に設けた、吸着材１４を活性化するための再生加熱手段１５と、吸着材１４の下流側に設けた、乾燥空気を床下１６に送風する第一の排気管１７と、送風手段１２が送風する空気を機外に放出する第二の排気管１８と、第一の排気管１７と第二の排気管１８とを選択的に開閉する吸着・再生経路切換弁１９と、送風手段１２が送風する空気を床下に送風する送風口２０と、送風手段１２が送風する空気を送風口２０側または吸着材１４側に選択的に切り換える換気・除湿切換弁２１と、吸着材１４を通過する前の屋外の空気の温度と湿度とを検知する検知手段２５と、検知手段２５の情報を受けて各部を制御する制御手段２６とを配置している。制御手段２６は、検知手段２５の検知温度・湿度に応じて換気運転・除湿運転を実行するものである。また除湿運転の開始時または除湿運転中には、検知手段２５から受けた情報に基づいて再生加熱手段１５への通電時間または通電容量またはこの両方を制御しているものである。
【００１５】
第一の排気管１７は、送風口２０と連通している。吸着・再生経路切換弁１９と換気・除湿切換弁２１とは、それぞれ図示していないモータ・電磁石等の駆動源と仕切り板とによって構成している。また送風手段１２は、ファン・モータ及びケーシングによって構成している。また送風口２０は、建物側に取り付けている換気口パネル２２に、ダクト２４によって連結されている。尚本体１０は、北側に面した洗面所や台所等の水まわりの床下１６の換気口２３の近くに設置しているものである。
【００１６】
次に本実施例の動作について説明する。検知手段２５が検知している外気の湿度が基準値より低いときには、制御手段２６は換気運転を実行する。すなわち、換気・除湿切換弁２１を送風口２０を開とするａ側にセットし、この状態で送風手段１２を運転する。従って吸気口１１から吸気された低湿の屋外空気は、送風手段１２によって送風口２０から床下１６に送風される。このため床下１６に滞留している多湿の淀んだ空気は、本体１０を設置している換気口２３とは別の換気口から排出され、床下１６の空気は低湿の屋外空気に置き換えられる。
【００１７】
また検知手段２５の検知湿度が基準値より高い場合には、制御手段２６は除湿運転を実行する。つまり、吸気口１１から吸気した多湿の屋外空気の水分を吸着材１４に吸着させて乾燥した空気を床下１６に送風する。このとき図２に示しているように、例えば吸着材１４に屋外空気を接触させて、空気中の水分を吸着材１４に吸着させて乾燥空気とする吸着モード運転から除湿運転を開始する場合には、換気・除湿切換弁２１を吸着材１４側を開とするｂ側に、吸着・再生経路切換弁１９を第一の排気管１７を開とするイ側にセットし、この状態で送風手段１２を運転するものである。送風手段１２が送風する多湿の屋外空気は、吸着材１４を通過する際にその水分を奪われて乾燥し、同時に吸着材１４から吸着熱を受けて温風となって、ｄとして示しているように第一の排気管１７から送風口２０へ流れ、床下１６に送風される。このため床下１６に滞留している多湿の淀んだ空気は、本体１０を設置している換気口２３とは別の換気口から排出され、床下１６の空気は乾燥した低湿の空気に置き換えられる。こうして所定時間Ｔ１の吸着モード運転を行うと、吸着材１４は活性が低下する。このため、所定時間Ｔ２の再生モード運転に切り換えるものである。すなわち吸着・再生経路切換弁１９を第二の排気管１８を開とするロ側にセットし、再生加熱手段１５を所定の通電容量Ｗ１で所定時間Ｔ２の間通電するものである。このため送風手段１２が送風する空気は、再生加熱手段１５によって加熱され高温となって、吸着材１４内を通過する。吸着材１４が吸着していた水分は、この高温の空気によって吸着材１４から脱離し、吸着材１４は活性化されて吸着能力を回復する。吸着材１４から脱離した水分を含んで多湿となった空気は、第二の排気管１８から機外に放出される。こうして再生モードの運転の開始からＴ２の時間が経過すると、再生加熱手段１５への通電を終了し、吸着・再生経路切換弁１９をイ側にセットして、再び吸着モードの運転に切り換えるものである。このように吸着・再生モードの運転を繰り返すことによって、床下１６の乾燥が進行する。
【００１８】
このとき本実施例では、制御手段２６は再生加熱手段１５に対する通電時間Ｔ２あるいは通電容量Ｗ１をまたは通電時間Ｔ２と通電容量Ｗ１の両方を検知手段２５の検知湿度に応じて調整するようにしているものである。つまり外気の湿度が比較的低い場合には、再生加熱手段１５に対する通電は小容量・短時間で吸着材１４が活性化されるが、外気の湿度が比較的高い場合には、大容量・長時間の通電が必要となるものである。従って本実施例では、特に制御手段２６が除湿運転の開始時または除湿運転中に、吸着材１４を通過する前の屋外空気の湿度を検知して、この検知湿度に応じて、再生加熱手段１５に対する通電時間Ｔ２あるいは通電容量Ｗ１をまたは通電時間Ｔ２と通電容量Ｗ１の両方を調整するようにしているものである。従って本実施例によれば、外気の湿度の変化に対応した除湿運転が可能になり、効率の良い換気除湿装置を実現できるものである。
【００１９】
尚本実施例においては、再生モードの運転時間Ｔ２と再生加熱手段１５への通電時間Ｔ２とを同一の時間設定としているが、異なった時間としてもなんら支障のないものである。
【００２０】
（実施例２）
次に本発明の第２の実施例について説明する。図３は、本実施例の構成を示す断面図である。本実施例では、検知手段２７とを備えている。検知手段２７は、本体１０の内部の上部に配置しており、送風手段１２が送風した空気が吸着材１４を通過した後の空気の温度と湿度を検知しているものでもある。また本実施例の制御手段２６は、除湿運転の開始時またはその後所定の時間行なう除湿運転中に検知手段２７から受けた情報に応じて再生加熱手段１５への通電時間または通電容量またはこの両方を制御するようにしているものである。
【００２１】
以下、本実施例の動作について説明する。検知手段２７の検知湿度が基準値より高い場合、つまり雨天時等の場合には、制御手段２６は除湿運転を実行する。除湿運転中に検知手段２７が検知する吸着材１４を通過した後の空気の温度が例えば高くなった場合には、制御手段２６は再生加熱手段１５への通電時間または通電容量またはこの両方を小さくするように制御する。この制御によって、吸着材１４が吸着している水分を効率的に脱離でき、効率的な運転ができる換気除湿装置としているものである。つまり外気の温度が低くなった場合は、当然、外気の絶対湿度も低くなっているものである。従って吸着材１４が吸着している水分の量も少なく、活性化に必要なエネルギーの量も少なくて済むものである。この状態で仮に外気の温度が低下する以前の通電時間・通電容量を変更せずに再生加熱手段１５に与え続けると、水分の脱離に使われるはずの再生加熱手段１５のエネルギーの一部が送風経路１３内の加熱に使用されることになるものである。送風経路１３内が加熱されると、本体１０内部の部品等が温度上昇して、故障の原因ともなるものである。
【００２２】
この現象は、制御手段２６の動作タイミングの遅れによっても発生するものであるが、本実施例では制御手段２６は検知手段２７の検知温度によっても動作するため、送風経路１３内の温度が異常に高くなる前に適切な制御が行えるものである。また除湿運転中に検知手段２７が温度が低くなった場合には、再生加熱手段１５への通電時間または通電容量またはこの両方を大きくするように制御するものである。
【００２３】
従って本実施例によれば、本体１０の内部の温度が異常に高くなる前に、再生加熱手段１５への適切な制御が可能になり、除湿運転時の屋外空気の絶対湿度の減少による本体の温度上昇等に機敏に対応でき、屋外空気の温度・湿度の変化に対応した安全で効率的な換気除湿装置を実現できるものである。
【００２４】
（実施例３）
続いて本発明の第３の実施例について説明する。本実施例では、図１で説明した検知手段２５と、検知手段２７とを備えている。検知手段２５は、本体１０の下部に配置しており屋外の空気の温度と湿度とを検知している。検知手段２７は、本体１０の内部の上部に配置しており、送風手段１２が送風した空気が吸着材１４を通過した後の空気の温度と湿度を検知しているものでもある。また制御手段２６は検知手段２５と検知手段２７の検知温度と湿度の情報を受けて、図４に示しているような制御プログラムに基づいて各部を制御しているものである。つまり検知手段２５が検知する温度と湿度とに応じて、動作モードを決定しているものである。すなわち、検知手段２５が検知する温度が基準値ｔよりも低くかつ湿度が基準値φよりも低いＤの状態ときは、換気運転を実行し、検知温度が基準値ｔよりも低くかつ湿度が基準値φよりも高いＡの状態ときと、検知温度が基準値ｔよりも高くかつ湿度が基準値φよりも高いＢの状態ときと、検知温度が基準値ｔよりも高くかつ湿度が基準値φよりも低いＣの状態ときとは除湿運転を実行するものである。また除湿運転中は、検知手段２７が検知する温度情報によって再生加熱手段１５への通電を制御しているものである。
【００２５】
本実施例では、前記したように検知手段２５が検知する温度と湿度とに応じて、動作モードを決定し、除湿運転中は検知手段２７が検知する温度情報によって再生加熱手段１５への通電を制御しているものである。従って、例えば除湿運転中に天候が急変してＡの状態からＤの状態へと外気の温度・湿度が大きく低下したような場合にも、正確に換気運転を実行できるものである。つまり、検知手段２７のみによって制御を実行している場合には、吸着材１４を通過した後の空気の温度が除湿運転での再生加熱手段１５の通電によって高温となっているため、制御手段２６はＢの状態からＣの状態に変化したと認識するものである。つまり、換気運転には切り換わらないものである。この点、本実施例では、検知手段２５と検知手段２７の両方を使用して、常時は検知手段２５に応じて換気運転・除湿運転を切り換えるようにプログラムされているものである。このため、天候が急変してＡの状態からＤの状態へと外気の温度・湿度が大きく低下したような場合には、検知手段２５がこの状態を正確に検知して制御手段２６にフィードバックできるものである。このため、この場合にも正確に換気運転を実行できるものである。
【００２６】
以上のように本実施例によれば、除湿運転の途中で外気の温度・湿度が大きく変化しても正確に換気運転・除湿運転を実行でき、また除湿運転中は検知手段２７の温度情報によって再生加熱手段１５への通電を制御しているため、本体１０の内部の温度が異常に高くなる事態が生ずることが無く、安全で効率的な換気除湿装置を実現するものである。
【００２７】
（実施例４）
続いて本発明の第４の実施例について説明する。図５は本実施例の構成を示す断面図である。本実施例で使用している吸着材１４は、図１で説明した換気・除湿切換弁２１の機能を兼ねているものである。すなわち、吸着材１４は送風経路１３内でその一端を軸に回転可能に設けているものである。
【００２８】
以下本実施例の動作について説明する。検知手段２５の検知湿度が低いときには、制御手段２６は換気運転を実行する。すなわち、吸着・再生経路切換弁１９を、第二の排気管１８を閉じ第一の排気管１７を開くようにイ側にセットする。また同時に、吸着材１４を保持している軸を９０度回転させて送風経路１３を開き、この状態で送風手段１２を運転するものである。従って吸気口１１から吸気した低湿の屋外空気は、送風手段１２によって第一の排気管１７を通過して床下１６に送風される。このため床下１６に滞留している多湿の淀んだ空気は、本体１０を設置している換気口２３とは別の換気口から排出され、床下１６の空気は低湿の屋外空気に置き換えられる。
【００２９】
検知湿度が高い状態のときは、除湿運転を実行するものである。すなわち、吸着材１４を換気運転の状態から９０度逆回転させて送風経路１３を閉じ、送風経路１３内を流れる外気が吸着材１４を通過できるようにする。その後、例えば吸着モードでの運転時には、吸着・再生経路切換弁１９を第一の排気管１７を開とするイ側にセットし、この状態で送風手段１２を運転する。このため、送風手段１２が送風する多湿の屋外空気は、吸着材１４によってその水分を奪われて乾燥し、ｄとして示すように第一の排気管１７から床下１６に送風される。また再生モードでの運転時には、吸着・再生経路切換弁１９を第二の排気管１８を開とするロ側にセットし、再生加熱手段１５を通電する。このため送風手段１２が送風する空気は、再生加熱手段１５によって加熱され高温となって、吸着材１４と接触するものである。このため吸着材１４は活性化され、吸着材１４を通過した空気は、吸着材１４から脱離した水分を含んで多湿となって、第二の排気管１８から機外に放出される。この吸着・再生モードの運転を繰り返すことによって、床下１６の除湿乾燥が進行する。
【００３０】
以上のように本実施例によれば、吸着材１４を送風経路１３内にその一端を軸に回転可能に設けた構成として、換気・除湿切換弁の機能を兼ねることができ、送風経路１３を簡単に構成できるものである。また、吸着材１４は回転する際にその一端を軸にして回転するため、除湿運転において吸着材１４の外周と送風経路１３の内周との間の空気漏れを無くすエアータイトも容易に実現できるものである。
【００３１】
またこのとき本実施例によれば、吸着材１４の回転方向は、送風手段１２が送風する空気の流れる方向と一致しているものである。このため、送風手段１２が送風する空気は、吸着材１４の表面に付着していたほこり等を吹き飛ばすようにして下方に流れていく。つまり、換気運転時に吸着材１４の自動清掃も行え、簡単な構成で耐久性の高い換気除湿装置を実現しているものである。
【００３２】
（実施例５）
次に本発明の第５の実施例について説明する。図６は本実施例の構成を示す断面図である。吸着材１４は、図５で説明したと同様、換気・除湿切換弁２１の機能を兼ねており、送風経路１３に回転可能に固定した軸に設けている。また制御手段２６は、検知手段２５・検知手段２７の検知温度・検知湿度に応じて各部を制御している。つまり、常時は検知手段２５の検知情報に応じて換気運転・除湿運転の切り換えを実行し、除湿運転中は検知手段２７の検知温度情報に応じて再生加熱手段１５への通電時間または通電容量またはこの両方を制御しているものである。また換気運転時は、吸着・再生経路切換弁１９で第二の排気管１８を閉じると共に、吸着材１４をその一端を軸に空気の流れる方向へ回転させて送風経路１３内を開くように制御している。除湿運転時には、吸着材１４をその一端を軸に逆回転させ、送風経路１３内に流れる外気が吸着材１４と接触するように制御しているものである。
【００３３】
以上の構成とすることによって、送風経路１３の構成が簡単で、また屋外空気の温度・湿度の変化による換気運転への切換えも機敏にでき、安全でさらに効率的な運転ができる換気除湿装置としているものである。また特に本実施例によれば、検知手段２７自身が、換気運転時に屋外の低湿の空気の通過によって冷却されるものである。このため、例えば除湿運転から換気運転に切り換わった場合に、正しい温度検知への回復が早くできるものである。また送風経路１３、再生加熱手段１５等の冷却も行える。
【００３４】
【発明の効果】
請求項１に記載した発明は、屋外の空気を吸気口から吸引して送風する送風手段と、送風手段が送風する送風経路中に設けた吸着材と、吸着材を再生加熱する再生加熱手段と、乾燥空気を床下に送風する第一の排気管と、吸着材の再生加熱時に発生する多湿の空気を機外に放出する第二の排気管と、吸着材を通過した後の空気を、吸着モード時には第一の排気管に、再生モード時には第二の排気管に送る吸着・再生経路切換弁と、送風手段が送風する空気を吸着材側と送風口側とに切り換える換気・除湿切換弁と、吸着材を通過する前の屋外空気の温度と湿度とを検知する検知手段と、各部を制御する制御手段とを備え、前記制御手段は除湿運転の開始時または除湿運転中に、検知手段から受けた情報に基づいて再生加熱手段への通電時間または通電容量またはこの両方を制御する構成として、外気の湿度の変化に対応した換気運転・除湿運転が可能な効率の良い換気除湿装置を実現するものである。
【００３５】
請求項２に記載した発明は、屋外の空気を吸気口から吸引して送風する送風手段と、送風手段が送風する送風経路中に設けた吸着材と、吸着材を再生加熱する再生加熱手段と、乾燥空気を床下に送風する第一の排気管と、吸着材の再生加熱時に発生する多湿の空気を機外に放出する第二の排気管と、吸着材を通過した後の空気を、吸着モ―ド時には第一の排気管に、再生モード時には第二の排気管に送る吸着・再生経路切換弁と、送風手段が送風する空気を吸着材側と送風口側とに切り換える換気・除湿切換弁と、吸着材を通過した後の空気の温度と湿度とを検知する検知手段と、各部を制御する制御手段とを備え、前記制御手段は、除湿運転の開始時またはその後所定時間行う除湿運転中に、検知手段から受けた情報に基づいて再生加熱手段への通電時間または通電容量またはこの両方を制御する構成として、本体の温度上昇のおそれがなく、安全で効率的な運転ができる換気除湿装置を実現するものである。
【００３６】
請求項３に記載した発明は、屋外の空気を吸気口から吸引して送風する送風手段と、送風手段が送風する送風経路中に設けた吸着材と、吸着材を再生加熱する再生加熱手段と、乾燥空気を床下に送風する第一の排気管と、再生加熱時に発生する多湿の空気を機外に放出する第二の排気管と、送風手段が送風する空気を床下に送風する送風口と、吸着材を通過した後の空気を、吸着モード時には第一の排気管に、再生モ―ド時には第二の排気管に送る吸着・再生経路切換弁と、送風手段が送風する空気を吸着材側と送風口側とに切り換える換気・除湿切換弁と、吸着材を通過する前の屋外空気の温度と湿度とを検知する検知手段と、吸着材を通過した後の空気の温度と湿度とを検知する第二の検知手段と、各部を制御する制御手段とを備え、前記制御手段は、常時は検知手段の情報を受けて換気、除湿運転の切り換えを行い、除湿運転中は第二の検知手段の情報を受けて再生加熱手段への通電時間または通電容量またはこの両方を制御する構成として、請求項１に記載した効果に加え、屋外空気の温度・湿度の変化による換気運転への切換えも機敏にでき、安全でさらに効率的な運転ができる換気除湿装置を実現するものである。
【００３７】
請求項４に記載した発明は、屋外の空気を吸気口から吸引して送風する送風手段と、送風手段が送風する送風経路中に設けた吸着材と、吸着材を再生加熱する再生加熱手段と、乾燥空気を床下に送風する第一の排気管と、再生加熱時の多湿の空気を機外に放出する第二の排気管と、吸着材を通過した後の空気を、吸着モード時には第一の排気管に、再生モード時には第二の排気管に送る吸着・再生経路切換弁と、屋外空気の温度と湿度とを検知する検知手段と、各部を制御する制御手段とを備え、前記制御手段は、換気運転時には吸着・再生経路切換弁を駆動して第二の排気管を閉じると共に、吸着材をその一端を軸に回転させて送風経路内を開き、除湿運転時には、吸着材をその一端を軸に逆回転させて送風経路を流れる外気が吸着材の表面に接触する構成として、請求項１に記載した効果に加え、送風経路を簡単に構成でき、また耐久性の高い換気除湿装置を実現するものである。
【００３８】
請求項５に記載した発明は、制御手段は換気運転時に吸着材を空気の流れる方向へ回転させるように制御する構成として、請求項４に記載した効果に加え、換気運転時に吸着材の自動清掃も行え、簡単な構成で耐久性の高い換気除湿装置を実現するものである。
【００３９】
請求項６に記載した発明は、屋外の空気を吸気口から吸引して送風する送風手段と、送風手段が送風する送風経路中に設けた吸着材と、吸着材を再生加熱する再生加熱手段と、乾燥空気を床下に送風する第一の排気管と、再生加熱時の多湿の空気を機外に放出する第二の排気管と、吸着材を通過した後の空気を、吸着モード時には第一の排気管に、再生モード時には第二の排気管に送る吸着・再生経路切換弁と、吸着材を通過する前の屋外空気の温度と湿度とを検知する検知手段と、吸着材を通過した後の空気の温度と湿度とを検知する第二の検知手段と、各部を制御する制御手段とを備え、前記制御手段は、換気運転時には吸着・再生経路切換弁を駆動して第二の排気管を閉じると共に、吸着材をその一端を軸に空気の流れる方向に回転させて送風経路内を開き、除湿運転時には、吸着材をその一端を軸に逆回転させて送風経路を流れる空気が吸着材を通過させるようにし、かつ常時は検知手段の情報に応じて換気、除湿運転の切り換えを行い、除湿運転中は第二の検知手段の情報に応じて、再生加熱手段への通電時間または通電容量またはこの両方を制御する構成として、請求項３に記載した効果に加え、送風経路の構成が簡単で、また吸着材の自動清掃も行え、安全でさらに効率的な運転ができる換気除湿装置を実現するものである。
【図面の簡単な説明】
【図１】本発明の第１の実施例である換気除湿装置の構成を示す側断面図
【図２】同、制御手段が有している制御プログラムの一部を示すタイムチャート
【図３】本発明の第２の実施例である換気除湿装置の構成を示す側断面図
【図４】本発明の第３の実施例である換気除湿装置の制御手段が有している制御プログラムの一部を示す特性図
【図５】本発明の第４の実施例である換気除湿装置の構成を示す側断面図
【図６】本発明の第５の実施例である換気除湿装置の構成を示す側断面図
【図７】従来例である床下用換気扇の構成を示す断面図
【図８】同、設置事例を示す説明図
【図９】同、電気配線を示す配線図
【符号の説明】
１１  吸気口
１２  送風手段
１３  送風経路
１４  吸着材
１５  再生加熱手段
１７  第一の排気管
１８  第二の排気管
１９  吸着・再生経路切換弁
２１  換気・除湿切換弁
２５  検知手段
２６  制御手段
２７  第二の検知手段
【図１】
0003539127.tif 000002
【図２】
0003539127.tif 000003
【図３】
0003539127.tif 000004
【図４】
0003539127.tif 000005
【図５】
0003539127.tif 000006
【図６】
0003539127.tif 000007
【図７】
0003539127.tif 000008
【図８】
0003539127.tif 000009
【図９】
0003539127.tif 000010